(57)【特許請求の範囲】
【請求項１】
長さ方向に伸びる開口側面を有する断面Ｃ字形状の消波体を、前記開口側面を波の進行方向に向け且つ波の進行方向に対し傾けて沿岸部の比較的浅瀬の水中に設置し、波が前記消波体の沖側端部に当たった際に前記消波体の前記沖側端部内と陸側端部内との間に生ずる水圧差により、前記消波体内に流れを生じさせることにより波高を低減させることを特徴とする消波方法。
【請求項２】
長さ方向に伸びる開口側面を有する断面Ｃ字形状の消波体を１又は複数、前記開口側面を波の進行方向に向け且つ波の進行方向に対して傾けて沿岸部の比較的浅瀬の水中に設置して成り、波が前記消波体の沖側端部に当たった際に前記消波体の前記沖側端部内と陸側端部内との間に生ずる水圧差により、前記消波体内に流れが生じずることを可能にしたことを特徴とする消波装置。
【請求項３】
前記消波体に、中空の固定杭を設置し、前記中空固定杭に外部から高圧水を供給可能にした請求項２に記載の消波装置。
【発明の詳細な説明】
【０００１】
【発明の属する技術分野】
本発明は消波方法及び消波装置、より詳細には、海や河川の水中に設置されて消波機能を発揮し、以て津波や高波等による被害を未然に防止するための消波方法及び消波装置に関するものである。
【０００２】
【従来の技術】
津波や高波等による被害を防止するために、海岸を工事して設置される所謂岸壁や防波堤の他に、沿岸部の比較的浅瀬に設置される消波装置が種々考えられている。水面より露出するくの字状の堤体を、同一方向に向けて複数並設し、各堤体間にくの字状の水路を設けたもの（特開平６−２１２６１１号公報）や、全方位の波向きに対して弧状に（略半球状に）形成されると共に、内部に中空室が設けられ、この中空室を、主たる波向きに対向する部位に設けた開口部を介して海中と連通させたもの（特開平１０−２３７８４２号公報）等がその例である。
【０００３】
【発明が解決しようとする課題】
上記従来の消波装置は、その構造上それ自体高価となるだけでなく、設置にも手間がかかり、トータルコストが嵩む欠点がある。
そこで本発明は、単純な構造で、装置自体のコスト及び設置コストが比較的低廉で、しかも有効な消波効果を有する消波方法及び消波装置を提供することを課題とする。
【０００４】
【課題を解決するための手段】
上記課題を解決するための本発明に係る消波方法は、水圧が高くなる波の山部における水を、前記山部よりも水圧が低い波の谷部に、圧力差を利用して導くことことを特徴とし、また、長さ方向に伸びる開口側面を有する消波体を設け、前記消波体を、波の進行方向に対し傾け且つ前記開口側面を波に向けて設置し、波が前記消波体に当った際に前記消波体内に生ずる水圧差により、前記消波体内に流れを生じさせるようにしたことを特徴とする。
【０００５】
上記課題を解決するための本発明に係る消波装置は、長さ方向に伸びる開口側面を有する消波体を１又は複数、前記開口側面を波に向け且つ波の進行方向に対して傾けて設置して成り、好ましくは、前記消波体に、中空の固定杭を設置し、前記中空固定杭に外部から高圧水を供給可能にする。
【０００６】
【発明の実施の形態】
本発明の実施の形態を添付図面に依拠して説明する。本発明に係る消波方法は、水圧が高くなる波の山部における水を、前記山部よりも水圧が低い波の谷部に、圧力差を利用して導くことを特徴とし、より詳細には、長さ方向に伸びる開口側面を有する消波体を設け、前記消波体を、波の進行方向に対し傾け且つ前記開口側面を波に向けて設置し、前記波の山部が前記消波体の、波の進行方向手前側端部に位置するときに、前記消波体の反対側端部との水圧差により、前記消波体の手前側端部から前記消波体の反対側端部への流れが生ずるようにしたことを特徴とする。
【０００７】
図１は、上記発明に係る方法を実施するための本発明に係る消波装置の構成図で、図中１は、長さ方向に伸びる開口側面２を有する、換言すれば、断面がＣ字状ないし半円形の筒状消波体で、固定杭３を有し、この固定杭３を介して海底に固定される。消波体１は、設置場所において想定される高波や津波の規模に応じたサイズとされ、例えば、長さが３〜１５ｍ、直径が２〜５ｍ程度とされる。
【０００８】
消波体１は、沿岸部に通例複数、波に向けて開口側面２を配し、且つ、波の進行方向に対して、例えば４５度傾けた状態に設置される（図３参照）。
【０００９】
図２に示す例は、固定杭３を中空として先端に噴射ノズル３ａを設け、この中空固定杭３にホース４を接続することにより、外部からの高圧水を供給可能にしたものである。この構成は、本装置の、高さ調整を含めた海底への設置作業を容易且つ迅速に行わせるためのもので、設置作業に際しては、消波体１の外側面に設けたロープ掛け５にロープ６を掛けてクレーンで吊るし、海底に降ろす際に中空固定杭３内に高圧水を供給する。
【００１０】
高圧水は、中空固定杭３の噴射ノズル３ａから海底に向けて噴射され、中空固定杭３の先端部分の砂を吹き上げる。これにより、中空固定杭３の挿入孔が形成されるので、そのまま消波体１を降ろしていけば、中空固定杭３がその孔内に容易且つスムーズに進入していく。中空固定杭３が埋入したところでロープ６をフックから外すが、その後中空固定杭３の回りの砂が締まり、中空固定杭３は確固と固定される。
【００１１】
また、消波体１の設置場所を移動させる場合や消波体１の海底からの高さ調整をするような場合にも、同様に中空固定杭３に高圧水を供給すれば、周囲の砂が吹き崩されるので、引き抜きが容易となる。
【００１２】
このようにして設置した消波装置に対し、波が到来すると、波は先ず、波の進行方向に対して傾斜状態に設置されている消波体１の沖側端部に当たり、消波体１の全体をみると、その部分の水圧が最も高くなる。従って、消波体１の沖側端部内と陸側端部内において水圧に大きな差が生じ、その結果、消波体１内において、水圧の高い沖側から水圧の低い陸側への流れが生じ、これにより波の山が崩れ、より低い波高となって、消波体１を越えていく。
【００１３】
この現象が、波の進行に伴なって消波体１の全長に亘って起こる。その場合、波の山が消波体１の中間部辺りに到ると、消波体１内の水流は前後両方向に生ずるようになる。かくして、波が消波体１を越える際に波高の低減現象が次々と起こり、全体的に有効な消波が行われる。
【００１４】
【発明の効果】
本発明は上述した通りであって、波が本装置を通過する際に、波の山と谷間における水圧の差を利用して消波体内に水流を生じさせることにより、波高を低く抑えることができ、以て津波、高波等の被害の発生を有効に防止し得るものであり、しかも、構成が簡易で設置が容易なため、廉価にて供給設置し得る効果がある。
【００１５】
請求項４に記載の発明においては、高圧水を利用して杭の打込み作業を行うことができるので、より設置が容易となり、設置場所移動や高さ調整に際しての杭抜き作業も容易となる効果がある。
【図面の簡単な説明】
【図１】本発明に係る消波装置の一実施例の斜視図である。
【図２】本発明に係る消波装置の他の実施例の斜視図である。
【図３】本発明に係る消波装置の使用状態図である。
【符号の説明】
１    消波体
２    開口側面
３    固定杭
３ａ  噴射ノズル
４    ホース
５    ロープ掛け
６    ロープ
【図１】
0003609052.tif 000002
【図２】
0003609052.tif 000003
【図３】
0003609052.tif 000004